(57)【要約】【課題】薄板状の表示部に加わるストレスを軽減し表示部の耐久性を向上させる。【解決手段】表示装置１００は、連結体１０と、第１の揺動体２０Ａと、第２の揺動体２０Ｂと、表示板３０とを含んで構成されている。連結体１０に、第１の揺動体２０Ａが第１の仮想軸２２Ａを中心として揺動可能に連結され、第２の揺動体２０Ｂが第１の仮想軸２２Ａと間隔をおき第１の仮想軸２２Ａと平行する第２の仮想軸２２Ｂを中心として揺動可能に連結されている。表示板３０は、薄板状を呈し可撓可能であり、第１の揺動体２０Ａと前記第２の揺動体２０Ｂとにわたって取着され、表示板３０は、第１、第２の揺動体２０Ａ、２０Ｂの第１、第２の仮想軸２２Ａ、２２Ｂのまわりで互いに逆向きへの揺動に連動して開閉するように設けられている。【選択図】        図１
2006208424.tif 000002
【特許請求の範囲】
【請求項１】
連結体と、
前記連結体に、第１の仮想軸を中心として揺動可能に連結された第１の揺動体と、
前記連結体に、前記第１の仮想軸と間隔をおき前記第１の仮想軸と平行する第２の仮想軸を中心として揺動可能に連結された第２の揺動体と、
前記第１の揺動体と前記第２の揺動体とにわたって取着され前記第１、第２の揺動体の前記第１、第２の仮想軸のまわりで互いに逆向きへの揺動に連動して開閉する可撓可能な薄板状の表示板と、
を備えることを特徴とする表示装置。
【請求項２】
連結体は、互いに対向する一対の箇所を有し、前記第１、第２の揺動体は前記一対の箇所の間に配置され、前記第１、第２の仮想軸を通る第１、第２の支軸により前記一対の箇所に揺動可能に連結されていることを特徴とする請求項１記載の表示装置。
【請求項３】
前記連結体は、前記第１の仮想軸と第２の仮想軸を上下方向に向けて前記第１、第２の揺動体を支持できるように平坦面上に載置可能に設けられていることを特徴とする請求項１記載の表示装置。
【請求項４】
前記連結体は、前記第１の仮想軸と第２の仮想軸を水平方向に向け前記第１、第２の揺動体を支持できるように平坦面上に載置可能に設けられていることを特徴とする請求項１記載の表示装置。
【請求項５】
前記第１、第２の揺動体は、幅とこの幅と直交する長さとを有し、前記第１、第２の揺動体の幅方向の端部寄りの箇所に前記第１の仮想軸と第２の仮想軸がそれぞれ位置し、前記第１、第２の揺動体を、前記第１、第２の仮想軸が位置する側とは反対側の前記第１、第２の揺動体の端部が互いに離れる方向に揺動させて前記第１、第２の揺動体を単一の平面上に位置させることができ、この状態で、前記表示板は単一の平面上を延在するように展開されることを特徴とする請求項１記載の表示装置。
【請求項６】
前記第１、第２の揺動体は、幅とこの幅と直交する同一寸法の長さとを有し、前記第１、第２の揺動体の幅方向の端部寄りの箇所に前記第１の仮想軸と第２の仮想軸がそれぞれ位置し、前記第１、第２の揺動体を、前記第１、第２の仮想軸が位置する側とは反対側の前記第１、第２の揺動体の端部が互いに離れる方向に揺動させて前記第１、第２の揺動体を単一の平面上に位置させ、前記表示板を単一の平面上を延在するように展開させることができ、この状態で、前記第１の仮想軸と第２の仮想軸が位置する前記第１、第２の揺動体の端部は互いに近接することを特徴とする請求項１記載の表示装置。
【請求項７】
前記第１、第２の揺動体は幅とこの幅と直交する長さとが同一寸法で形成され、前記第１、第２の揺動体は矩形枠状を呈しそれぞれ内側に開口が設けられ、前記第１、第２の揺動体の幅方向の端部寄りの箇所に前記第１の仮想軸と第２の仮想軸がそれぞれ位置し、前記第１、第２の揺動体を、前記第１、第２の仮想軸が位置する側とは反対側の前記第１、第２の揺動体の端部が互いに近づく方向に揺動させてそれらの端部を鋭角をなして接触させることができ、この状態で、前記第１、第２の揺動体の各開口から前記表示板の背面が視認されることを特徴とする請求項１記載の表示装置。
【請求項８】
前記第１、第２の揺動体は幅とこの幅と直交する長さとが同一寸法で形成され、前記連結体は、前記第１、第２の仮想軸に沿って延在する延在部と、前記第１、第２の揺動体の高さよりも大きな寸法の間隔をおき前記延在部の延在方向の両端から起立する起立部とを備え、前記第１の揺動体の前記長さ方向の両端部で前記幅方向の端部寄りの箇所は前記延在部の両端の前記起立部の間に位置して前記第１の仮想軸上を通る第１支軸により前記両端の起立部に揺動可能に連結され、前記第２の揺動体の前記長さ方向の両端部で前記幅方向の端部寄りの箇所は前記延在部の両端の前記起立部の間に位置して前記第２の仮想軸上を通る第２支軸により前記両端の起立部に揺動可能に連結されていることを特徴とする請求項１記載の表示装置。
【請求項９】
前記第１、第２の揺動体は、幅とこの幅と直交する長さとを有し、前記第１、第２の揺動体の幅方向の端部寄りの箇所に前記第１の仮想軸と第２の仮想軸がそれぞれ位置し、前記第１、第２の揺動体は、幅方向において前記第１、第２の仮想軸が位置する側である支軸側端部と、前記支軸側端部とは反対側の自由端側端部とを有し、前記表示板は前記第１、第２の揺動体に対して前記支軸側端部においては取着されておらず前記自由端側端部から前記第１、第２の仮想軸の近傍箇所まで取着されていることを特徴とする請求項１記載の表示装置。
【請求項１０】
前記連結体は互いに間隔をおいて配置された一対の連結片により構成され、一対の連結片の一端の間に前記第1の揺動体が配置されて前記第１の仮想軸を通る第１の支軸により揺動可能に連結され、一対の連結片の他端の間に前記第２の揺動体が配置されて前記第２の仮想軸を通る第２の支軸により揺動可能に連結されていることを特徴とする請求項１記載の表示装置。
【請求項１１】
連結体と、
前記連結体に、第１の仮想軸を中心として揺動可能に連結された第１の揺動体と、
前記連結体に、前記第１の仮想軸と間隔をおき前記第１の仮想軸と平行する第２の仮想軸を中心として揺動可能に連結された第２の揺動体と、
前記第１の揺動体と前記第２の揺動体とにわたって取着され前記第１、第２の揺動体の前記第１、第２の仮想軸のまわりで互いに逆向きへの揺動に連動して開閉する可撓可能な薄板状の表示板と、
を備えることを特徴とする電子機器。
【請求項１２】
前記電子機器は各種機構が組み込まれた本体と、前記本体に揺動可能に連結された板体とを備え、前記本体により前記第１の揺動体が構成され、前記板体により前記第２の揺動体が構成され、前記連結体は前記本体と前記板体とを前記第１、第２の仮想軸を中心として揺動可能に連結する支持片によって構成されていることを特徴とする請求項１０記載の電子機器。
【請求項１３】
前記板体は枠状を呈していることを特徴とする請求項１１記載の電子機器。
【発明の詳細な説明】
【技術分野】
【０００１】
本発明は表示装置および電子機器に関する。
【背景技術】
【０００２】
高分子液晶フィルムなどで構成された可撓性を有する薄板状の表示部の両側を、蝶番で開閉可能に連結された２枚の板状部材に取着した表示装置が提案されている（特許文献１参照）。
この表示装置では、表示部を使用する際には、２枚の板状部材を１８０度開放することで表示部の表面を展開して画像などを表示させ、表示部を使用しない際には、２枚の板状部材を表示部の表面が内側に位置するように折り畳むことで表示部を屈曲した状態で収容するようにしている。
【特許文献１】特開平１０−２０７３８９号公報
【発明の開示】
【発明が解決しようとする課題】
【０００３】
このような従来の表示装置では、２枚の板状部材が蝶番を中心に、すなわち、１つの仮想軸を中心に揺動するため、２枚の板状部材が折り畳まれた際に、前記仮想軸近傍の薄板状の表示部の部分が小さな曲率半径で屈曲され、この屈曲部分に無理な力がかかる。
本発明はこのような事情に鑑みなされたものであり、その目的は、薄板状の表示部に加わるストレスを軽減し表示部の耐久性を向上させる上で有利な表示装置および電子機器を提供することにある。
【課題を解決するための手段】
【０００４】
上述の目的を達成するため、本発明の表示装置および電子機器は、連結体と、前記連結体に、第１の仮想軸を中心として揺動可能に連結された第１の揺動体と、前記連結体に、前記第１の仮想軸と間隔をおき前記第１の仮想軸と平行する第２の仮想軸を中心として揺動可能に連結された第２の揺動体と、前記第１の揺動体と前記第２の揺動体とにわたって取着され前記第１、第２の揺動体の前記第１、第２の仮想軸のまわりで互いに逆向きへの揺動に連動して開閉する可撓可能な薄板状の表示板とを備えることを特徴とする。
【発明の効果】
【０００５】
そのため、本発明によれば、連結体と、連結体に、それぞれ別々の仮想軸を中心として揺動可能に連結された第１、第２の揺動体と、それら第１、第２の揺動体にわたって取着された可撓可能な薄板状の表示板とを備えており、収納時に、表示板が間隔をおいた第１、第２の仮想軸の近傍箇所で湾曲面状に屈曲されるため、その屈曲部分の曲率半径を大きく確保でき、これにより収納時に表示板に加わるストレスを軽減でき、表示装置の耐久性を向上させる上で有利となる。
【発明を実施するための最良の形態】
【０００６】
連結体に、それぞれ別々の仮想軸を中心として第１、第２の揺動体を揺動可能に連結するとともに、それら第１、第２の揺動体にわたって可撓可能な薄板状の表示板を取着することで上記目的を実現した。
【実施例１】
【０００７】
次に本発明の実施例１について図面を参照して説明する。
図１は実施例１の表示装置１００の斜視図、図２は表示装置１００が開かれた状態を示す斜視図、図３は表示装置１００が閉じられた状態を示す斜視図である。
【０００８】
図１に示すように、表示装置１００は、連結体１０と、第１の揺動体２０Ａと、第２の揺動体２０Ｂと、表示板３０とを含んで構成されている。
連結体１０は互いに対向する一対の箇所を有し、この一対の箇所に、第１の揺動体２０Ａが第１の仮想軸２２Ａを中心として揺動可能に連結され、第２の揺動体２０Ｂが第１の仮想軸２２Ａと間隔をおき第１の仮想軸２２Ａと平行する第２の仮想軸２２Ｂを中心として揺動可能に連結されている。
表示板３０は、それら第１の揺動体２０Ａと第２の揺動体２０Ｂとにわたって取着されている。
【０００９】
連結体１０は、第１、第２の仮想軸２２Ａ、２２Ｂに沿って延在する薄板材からなる長方形状の延在部１２と、延在部１２の延在方向の両端から起立する起立部１４とを備えている。なお、図１に示すように、例えば、一方の起立部１４の中央に切り欠き１４０２を設け、この切り欠き１４０２の両側に突片１４０４を設けるようにしてもよい。
また、連結体１０の起立部１４は、第１の仮想軸２２Ａと第２の仮想軸２２Ｂを上下方向に向けて第１、第２の揺動体２０Ｂを支持できるように平坦面上に載置可能に設けられ、さらに、連結体１０の延在部１２は、第１の仮想軸２２Ａと第２の仮想軸２２Ｂを水平方向に向け第１、第２の揺動体２０Ｂを支持できるように平坦面上に載置可能に設けられている。
【００１０】
第１、第２の揺動体２０Ｂは、扁平な薄板材からなり、厚さと、厚さよりも大きな寸法の幅と、幅よりも大きな寸法の長さとを有する矩形状に形成されている。
本実施例では、第１、第２の揺動体２０Ｂは、厚さ、幅、長さが同一寸法で形成され、一対の起立部１４の間の距離は、第１、第２の揺動体２０Ａ、２０Ｂの長さよりも僅かに大きな寸法で形成されている。
そして、第１の揺動体２０Ａの長さ方向の両端部で幅方向の端部寄りの箇所は、延在部１２の両端の起立部１４の間に位置し、第１の仮想軸２２Ａ上を通る第１支軸２４Ａにより両端の起立部１４に揺動可能に連結されている。
また、第２の揺動体２０Ｂの長さ方向の両端部で幅方向の端部寄りの箇所は、延在部１２の両端の起立部１４の間に位置し、第２の仮想軸２２Ｂ上を通る第２支軸２４Ｂにより両端の起立部１４に揺動可能に連結されている。
【００１１】
図２に示すように、第１、第２の揺動体２０Ａ、２０Ｂを、第１、第２の仮想軸２２Ａ、２２Ｂが位置する側とは反対側の端部２８Ａ、２８Ｂが互いに離れる方向に揺動させて第１、第２の揺動体２０Ａ、２０Ｂを単一の平面上に位置させ、この状態で、第１の仮想軸２２Ａと第２の仮想軸２２Ｂが位置する第１、第２の揺動体２０Ａ、２０Ｂの端部２６Ａ、２６Ｂは互いに近接するように設けられている。
また、図３に示すように、第１、第２の揺動体２０Ａ、２０Ｂを、第１、第２の仮想軸２２Ａ、２２Ｂが位置する側とは反対側の端部２８Ａ、２８Ｂが互いに近づく方向に揺動させると、それらの端部２８Ａ、２８Ｂが鋭角をなして接触することができるように設けられている。
【００１２】
表示板３０は、薄板状を呈し可撓可能であり、第１の揺動体２０Ａと前記第２の揺動体２０Ｂとにわたって取着され、表示板３０は、図２、図３に示すように、第１、第２の揺動体２０Ａ、２０Ｂの第１、第２の仮想軸２２Ａ、２２Ｂのまわりで互いに逆向きへの揺動に連動して開閉するように設けられている。
表示板３０は、不図示の外部装置から（例えばコンピュータやＤＶＤプレイヤーなどのＡＶ装置などから有線を介してあるいは無線を介して）入力されるデータに基づいて、文字、記号、あるいは、画像（静止画、動画）などを表示するものである。
表示板３０は、例えば、ＥＬ（Ｅｌｅｃｔｒｏｎｉｃ  Ｌｕｍｉｎｅｓｃｅ）ディスプレイ、高分子液晶フィルム、電子ペーパーなどの可撓可能なディスプレイを用いることができる。
図１に示すように、表示板３０は、その背面３２が第１の揺動体２０Ａと第２の揺動体２０Ｂに面し、表面３４が第１の揺動体２０Ａと第２の揺動体２０Ｂの反対側に位置するように取着されている。
第１、第２の揺動体２０Ａ、２０Ｂの幅方向において、第１、第２の仮想軸２２Ａ、２２Ｂが位置する側の端部２６Ａ、２６Ｂを支軸側端部とし、第１、第２の仮想軸２２Ａ、２２Ｂが位置する側とは反対側の端部２８Ａ、２８Ｂを自由端側端部とすると、本実施例では、表示板３０は第１、第２の揺動体２０Ａ、２０Ｂに対して、自由端側端部から支軸側端部までその幅方向の全長に取着されておらず、自由端側端部から第１、第２の仮想軸２２Ａ、２２Ｂが位置する近傍の箇所にわたって取着され、支軸側端部に対しては取着されていない。
表示板３０は、図２に示すように、第１、第２の揺動体２０Ａ、２０Ｂを、第１、第２の仮想軸２２Ａ、２２Ｂが位置する側とは反対側の端部２８Ａ、２８Ｂが互いに離れる方向に揺動させて第１、第２の揺動体２０Ａ、２０Ｂを単一の平面上に位置させた状態で、単一の平面上を延在し展開されるように設けられている。
また、表示板３０は、図３に示すように、第１、第２の揺動体２０Ａ、２０Ｂを、第１、第２の仮想軸２２Ａ、２２Ｂが位置する側とは反対側の端部２８Ａ、２８Ｂが互いに近づく方向に揺動させそれらの端部２８Ａ、２８Ｂを鋭角をなして接触させると、支軸側端部に対しては取着されていない表示板３０部分が、それら支軸側端部の間で後方に凸の湾曲面状に撓むように構成されている。
【００１３】
次に表示装置１００の使用方法について説明する。
表示装置１００を使用する際には、連結体１０の起立部１４を平坦面上に載置して第１の仮想軸２２Ａと第２の仮想軸２２Ｂを上下方向に向けた状態とする。
次いで、図２に示すように第１、第２の揺動体２０Ａ、２０Ｂを、第１、第２の仮想軸２２Ａ、２２Ｂが位置する側とは反対側の端部２８Ａ、２８Ｂが互いに離れる方向に揺動させて第１、第２の揺動体２０Ａ、２０Ｂを単一の平面上に位置させ、表示板３０を単一の平面上を延在するように展開させる。
これにより表面３４の全域が前方に開放され、表面３４に表示される文字、記号、あるいは、画像を視認することができる。
表示装置１００を収納する際には、図３に示すように、第１、第２の揺動体２０Ａ、２０Ｂを、第１、第２の仮想軸２２Ａ、２２Ｂが位置する側とは反対側の端部２８Ａ、２８Ｂが互いに近づく方向に揺動させ、それらの端部２８Ａ、２８Ｂを鋭角をなして接触させる。
これにより、表示板３０は第１、第２の揺動体２０Ａ、２０Ｂの閉動に連動して変形し、第１、第２の仮想軸２２Ａ、２２Ｂの近傍において湾曲面状に撓むため、表示装置１００がコンパクトになり収納あるいは持ち運びを行う上で便利となる。
【００１４】
本実施例の表示装置１００によれば、連結体１０と、連結体１０に、それぞれ別々の仮想軸を中心として揺動可能に連結された第１、第２の揺動体２０Ａ、２０Ｂと、それら第１、第２の揺動体２０Ａ、２０Ｂにわたって取着された可撓可能な薄板状の表示板３０とを備えており、収納時に、表示板３０が間隔をおいた第１、第２の仮想軸２２Ａの近傍箇所で湾曲面状に屈曲されるため、その屈曲部分の曲率半径を大きく確保でき、これにより収納時に表示板３０に加わるストレスを軽減でき、表示装置１００の耐久性を向上させる上で有利となる。
また、本実施例では、第１、第２の揺動体２０Ａ、２０Ｂを揺動させて第１、第２の揺動体２０Ａ、２０Ｂを単一の平面上に位置させ、表示板３０が単一の平面上を延在するように展開した状態で、第１、第２の仮想軸２２Ａ、２２Ｂが位置する第１、第２の揺動体２０Ａ、２０Ｂの端部２６Ａ、２６Ｂは互いに近接している。したがって、表示板３０が展開された状態において、第１、第２の揺動体２０Ａ、２０Ｂの境の箇所に位置する表示板３０の背面３２の部分は、これら端部２６Ａ、２６Ｂによって支持されるため、第１、第２の揺動体２０Ａ、２０Ｂの境の箇所に位置する表示板３０の箇所に前方から後方に向かう外力あるいは後方から前方に向かう外力が加わっても、この外力を第１、第２の揺動体２０Ａ、２０Ｂの端部２６Ａ、２６Ｂで受けることができ、したがって、表示板３０に無理な力が加わらず、表示板３０に加わるストレスを軽減でき、表示装置１００の耐久性を向上させる上で有利となる。
【実施例２】
【００１５】
次に本発明の実施例２について説明する。
図４は実施例２の表示装置１００の斜視図、図５は図４の断面図、図６は実施例２の表示装置１００の使用状態を示す説明図である。
実施例２では第１、第２の揺動体および表示板の構成が実施例１と異なっている。
実施例１と同様な箇所、部材に同一の符号を付して説明すると、第１、第２の揺動体２０Ａ、２０Ｂはそれぞれ幅とこの幅と直交する長さとが同一寸法で形成され、第１、第２の揺動体２０Ａ、２０Ｂは幅と長さとを有する矩形枠状を呈し、それぞれ内側に開口２８Ａ、２８Ｂが設けられている。これら開口２８Ａ、２８Ｂには透明な部材からなる透明板（カバー）を設けてもよい。
連結体１０の起立部１４は、第１の仮想軸２２Ａと第２の仮想軸２２Ｂを上下方向に向けて第１、第２の揺動体２０Ｂを支持できるように平坦面上に載置可能に設けられ、さらに、連結体１０の延在部１２は、第１の仮想軸２２Ａと第２の仮想軸２２Ｂを水平方向に向け第１、第２の揺動体２０Ｂを支持できるように平坦面上に載置可能に設けられている。
第１の揺動体２０Ａの幅方向の端部寄りの箇所は、延在部１２の両端の起立部１４の間に位置し、第１の仮想軸２２Ａ上を通る第１支軸２４Ａにより両端の起立部１４に揺動可能に連結されている。
また、第２の揺動体２０Ｂの幅方向の端部寄りの箇所は、延在部１２の両端の起立部１４の間に位置し、第２の仮想軸２２Ｂ上を通る第２支軸２４Ｂにより両端の起立部１４に揺動可能に連結されている。
そして、実施例１と同様に、第１、第２の揺動体２０Ａ、２０Ｂを、第１、第２の仮想軸２２Ａ、２２Ｂが位置する側とは反対側の端部２８Ａ、２８Ｂが互いに離れる方向に揺動させて第１、第２の揺動体２０Ａ、２０Ｂを単一の平面上に位置させ、この状態で、第１の仮想軸２２Ａと第２の仮想軸２２Ｂが位置する第１、第２の揺動体２０Ａ、２０Ｂの端部２６Ａ、２６Ｂは互いに近接するように設けられている。
また、図４〜図６に示すように、第１、第２の揺動体２０Ａ、２０Ｂを、第１、第２の仮想軸２２Ａ、２２Ｂが位置する側とは反対側の端部２８Ａ、２８Ｂが互いに近づく方向に揺動させると、それらの端部２８Ａ、２８Ｂが鋭角をなして接触することができるように設けられている。
【００１６】
表示板３０は、薄板状を呈し可撓可能であり、第１の揺動体２０Ａと前記第２の揺動体２０Ｂとにわたって取着され、表示板３０は、実施例１と同様に、第１、第２の揺動体２０Ａ、２０Ｂの第１、第２の仮想軸２２Ａ、２２Ｂのまわりで互いに逆向きへの揺動に連動して開閉するように設けられている。
表示板３０は、実施例１と同様に、不図示の外部装置から（例えばコンピュータやＤＶＤプレイヤーなどのＡＶ装置などから有線を介してあるいは無線を介して）入力されるデータに基づいて、文字、記号、あるいは、画像（静止画、動画）などを表示するもので可撓可能であり、実施例２では、表示板３０の両面にそれら画像などが表示されるように構成され、このような表示板３０として、例えば、ＥＬ（Ｅｌｅｃｔｒｏｎｉｃ  Ｌｕｍｉｎｅｓｃｅ）ディスプレイを用いることができる。
第１、第２の揺動体２０Ａ、２０Ｂの幅方向において、第１、第２の仮想軸２２Ａ、２２Ｂが位置する側の端部２６Ａ、２６Ｂを支軸側端部とし、第１、第２の仮想軸２２Ａ、２２Ｂが位置する側とは反対側の端部２８Ａ、２８Ｂを自由端側端部とすると、表示板３０は第１、第２の揺動体２０Ａ、２０Ｂに対して、自由端側端部から支軸側端部までその幅方向の全長に取着されておらず、自由端側端部から第１、第２の仮想軸２２Ａ、２２Ｂが位置する近傍の箇所にわたって取着され、支軸側端部に対しては取着されていない。
表示板３０は、実施例１と同様に、第１、第２の揺動体２０Ａ、２０Ｂを、第１、第２の仮想軸２２Ａ、２２Ｂが位置する側とは反対側の端部２８Ａ、２８Ｂが互いに離れる方向に揺動させて第１、第２の揺動体２０Ａ、２０Ｂを単一の平面上に位置させた状態で、単一の平面上を延在し展開されるように設けられている。
また、表示板３０は、図４〜図６に示すように、第１、第２の揺動体２０Ａ、２０Ｂを、第１、第２の仮想軸２２Ａ、２２Ｂが位置する側とは反対側の端部２８Ａ、２８Ｂが互いに近づく方向に揺動させそれらの端部２８Ａ、２８Ｂを鋭角をなして接触させると、支軸側端部に対しては取着されていない表示板３０部分が、それら支軸側端部の間で下方に凸の湾曲面状に撓むように構成されている。
そして、この状態で、第１、第２の揺動体２０Ａ、２０Ｂの各開口２８Ａ、２８Ｂから表示板３０の背面３２に表示される画像などが視認されるように構成されている。
【００１７】
実施例２の表示装置１００によれば、実施例１と同様に、収納時に、表示板３０が間隔をおいた第１、第２の仮想軸２２Ａの近傍箇所で湾曲面状に屈曲されるため、その屈曲部分の曲率半径を大きく確保でき、これにより収納時に表示板３０に加わるストレスを軽減でき、表示装置１００の耐久性を向上させる上で有利となる。
また、実施例１と同様に、表示板３０が展開された状態において、第１、第２の揺動体２０Ａ、２０Ｂの境の箇所に位置する表示板３０の箇所に前方から後方に向かう外力あるいは後方から前方に向かう外力が加わっても、この外力を第１、第２の揺動体２０Ａ、２０Ｂの端部２６Ａ、２６Ｂで受けることができ、したがって、表示板３０に無理な力が加わらず、表示板３０に加わるストレスを軽減でき、表示装置１００の耐久性を向上させる上で有利となる。
また、実施例２では、図５、図６に示すように、収納時において、第１、第２の揺動体２０Ａ、２０Ｂの各開口２８Ａ、２８Ｂから表示板３０の背面３２に表示される画像などが視認できるので、例えば、表示装置１００をテーブル２などに載置することで、第１の揺動体２０Ａの開口２８Ａに臨む側と、第２の揺動体２０Ｂの開口２８Ｂに臨む側との２つの方向から表示板３０の背面３２に表示される画像などを同時に視認することができ、異なった方向から多人数で画像などを見ることができ使い勝手を向上させる上で有利となる。
【実施例３】
【００１８】
次に本発明の実施例３について説明する。
実施例３では本発明が撮像装置２００に適用されたものである。
図７、図８は実施例３における撮像装置２００の斜視図、図９（Ａ）〜（Ｃ）は実施例３における撮像装置２００の使用説明図である。
図７〜図９に示すように、撮像装置２００は例えばデジタルスチルカメラであり、本体２０２を有し、本体２０２の前面には撮影光学系２０４を収容する鏡筒２０６が設けられ、本体２０２の上面にはシャッタースイッチ２０８が設けられている。
本体２０２の内部には、何れも図示しないが、撮影光学系２０４によって導かれた被写体像を撮像する撮像素子、この撮像素子から出力される撮像信号に基づいて画像データを生成する画像生成部、この画像生成部で生成された画像データをメモリカードなどの記憶媒体に記録しあるいは記憶媒体から画像データを再生する記録再生部などが設けられている。
撮像装置２００には本発明に係る表示装置１００が設けられており、表示装置１００は左右一対の支持片４０で連結された矩形枠状の枠体４２を備えている。
そして、撮像装置２００の本体２０２の背面から枠体４２にわたり可撓可能な薄板状の表示板３０が取着されている。
【００１９】
実施例３では、実施例１、２の連結体１０が左右一対の支持片４０により構成され、実施例１、２の第１の揺動体２０Ａが撮像装置２００の本体２０２で構成され、実施例１、２の第２の揺動体２０Ｂが枠体４２で構成されている。
枠体４２は、撮像装置２００の本体２０２の輪郭と略同一寸法の矩形を呈し、内側に開口４４が設けられている。この開口４４には透明な部材からなる透明板（カバー）を設けてもよい。
両支持片４０の長手方向の一端は、本体２０２の左右側部の上部（実施例１、２に対応させて説明すると本体２０２の幅方向の一端）に第１の支軸４６Ａを介して揺動可能に連結され、第１の仮想軸２２Ａは第１の支軸４６Ａの軸心を通っている。
両支持片４０の長手方向の他端は、枠体４２の左右側部の上部（実施例１、２に対応させて説明すると枠体４２の幅方向の一端）に第２の支軸４６Ｂを介して揺動可能に連結され、第２の仮想軸２２Ｂは第２の支軸４６Ｂの軸心を通っている。
本体２０２は、第１の仮想軸２２Ａと第２の仮想軸２２Ｂを水平方向に向け枠体４２を支持できるように平坦面上に載置可能に設けられている。
そして、枠体４２を、第１、第２の仮想軸２２Ａ、２２Ｂが位置する側とは反対側の端部が互いに離れる方向に揺動させて、すなわち、図８に示すように、枠体４２を本体２０２に対して起立させると、本体２０２の背面に対して枠体４２が単一の平面上に位置し、この状態で、第１の仮想軸２２Ａが位置する本体２０２の上端２１０と、第２の仮想軸２２Ｂが位置する枠体４２の端部４２０２とが互いに近接するように設けられている。
また、図７に示すように、枠体４２を、第１、第２の仮想軸２２Ａ、２２Ｂが位置する側とは反対側の端部が互いに近づく方向に揺動させると、すなわち、枠体４２を揺動させて本体２０２の背面に臨むように位置させると、本体２０２の下端２１２と枠体４２の端部４２０４とが鋭角をなして接触することができるように設けられている。
【００２０】
表示板３０は、薄板状を呈し可撓可能であり、本体２０２の背面と枠体４２とにわたって取着され、表示板３０は、実施例１、２と同様に、枠体４２の揺動に連動して開閉するように設けられている。
表示板３０は、前記画像生成部によって生成された画像データが供給されることで撮影中の被写体の画像、あるいは、前記記録再生部によって前記記録媒体から読み出された画像、あるいは、撮像装置２００の動作にまつわる種々の情報を表す文字や記号あるいは画像などが表示されるように構成されている。表示板３０は、実施例２と同様に、表示板３０の両面にそれら画像などが表示されるように構成され、このような表示板３０として、例えば、ＥＬ（Ｅｌｅｃｔｒｏｎｉｃ  Ｌｕｍｉｎｅｓｃｅ）ディスプレイを用いることができる。
本体２０２、枠体４２において、第１、第２の仮想軸２２Ａ、２２Ｂが位置する側の本体２０２の上端２１２および枠体４２の端部４２０２を支軸側端部とし、第１、第２の仮想軸２２Ａ、２２Ｂが位置する側とは反対側の本体２０２の下端２１４および枠体４２の端部４２０４を自由端側端部とすると、表示板３０は第１、第２の揺動体２０Ａ、２０Ｂに対して、自由端側端部から支軸側端部までその幅方向の全長に取着されておらず、自由端側端部から第１、第２の仮想軸２２Ａ、２２Ｂが位置する近傍の箇所にわたって取着され、支軸側端部に対しては取着されていない。
表示板３０は、実施例１と同様に、枠体４２を起立させて本体２０２の背面と単一の平面上に位置させた状態で、単一の平面上を延在し展開されるように設けられている。
また、表示板３０は、図７に示すように、枠体４２を本体２０２の背面に臨ませ、枠体４２の端部４２０４を本体２０２の背面の下端２１４に鋭角をなして接触させると、支軸側端部に対しては取着されていない表示板３０部分が、それら支軸側端部の間で上方に凸の湾曲面状に撓むように構成されている。
そして、この状態で、枠体４２の開口４４から後方に向けて表示される表示板３０の背面３４の画像などが視認されるように構成されている。
【００２１】
次に、表示装置１００の使用方法について説明する。
図９（Ａ）に示すように、枠体４２を本体２０２の背面に臨ませ、枠体４２の端部４２０４を本体２０２の背面の下端２１４に鋭角をなして接触させると、枠体４２の開口４４から後方に向けて表示される表示板３０の背面３４の画像などを視認できる。
図９（Ｂ）に示すように、本体２０２の背面において枠体４２を斜め上方に向けると、枠体４２の開口４４から斜め後方に向けて表示される表示板３０の背面３４の画像などを視認でき、したがって、撮影光学系２０４の光軸とは異なった方向から画像などを視認できる。このため、撮像装置２００の撮影姿勢に拘わらず表示板３０に表示される画像などを容易に視認することができる。
図９（Ｃ）に示すように、枠体４２を起立させて本体２０２の背面と単一の平面上に位置させ、表示板３０を単一の平面上で延在させ展開させると、後方から表示板３０の表面３２の全域に表示される画像を全て視認でき、また同時に、前方から枠体４２の開口４４を通して前方に向けて表示される表示板３０の背面３４の画像などを視認できる。
したがって、表示板３０が展開された状態では、図８に示すように、表面３０の面積を広く確保できるので、表示板３０のうち開口４４に臨む表面３０の箇所に被写体の画像を表示させるとともに、表示板３０のうち、表面３０の残りの箇所に撮影にまつわる情報（シャッタースピードや露出、撮影枚数、撮影モードなど）を表示させることができ、被写体の画像とともに前記情報を容易に視認することができる。
また、図９（Ｃ）に示すように、表示板３０が展開された状態では、前方から枠体４２の開口４４を通して前方に向けて表示される表示板３０の背面３４の画像などを視認できるので、被写体となった人が自らの画像を視認することで自らの表情や姿勢を確認しつつ撮影に臨むことができ使い勝手を向上させる上で有利となる。
【００２２】
本実施例の表示装置１００によれば、連結体１０を介してそれぞれ別々の仮想軸である第１、第２の仮想軸２２Ａ、２２Ｂを中心として揺動可能に連結された撮像装置２００の本体２０２と枠体４２と、それら本体２０２と枠体４２にわたって取着された可撓可能な薄板状の表示板３０とを備えており、収納時に、表示板３０が間隔をおいた第１、第２の仮想軸２２Ａ、２２Ｂの近傍箇所で湾曲面状に屈曲されるため、その屈曲部分の曲率半径を大きく確保でき、これにより収納時に表示板３０に加わるストレスを軽減でき、表示装置１００の耐久性を向上させる上で有利となる。
また、本実施例では、枠体４２を本体２０２に対して起立させ単一の平面上に位置させ、表示板３０が単一の平面上を延在するように展開した状態で、第１、第２の仮想軸２２Ａ、２２Ｂが位置する本体２０２の端部（本体２０２の上端２１２）と枠体４２の端部４２０２（枠体４２の下端）は互いに近接している。したがって、表示板３０が展開された状態において、本体２０２と枠体４２の境の箇所に位置する表示板３０の背面３２の部分は、これら本体２０２の上端２１２、枠体４２の端部４２０２によって支持されるため、本体２０２、枠体４２の境の箇所に位置する表示板３０の箇所に前方から後方に向かう外力あるいは後方から前方に向かう外力が加わっても、この外力を第１、第２の仮想軸２２Ａ、２２Ｂが位置する側の本体２０２の上端２１２、枠体４２の端部４２０２で受けることができ、したがって、表示板３０に無理な力が加わらず、表示板３０に加わるストレスを軽減でき、表示装置１００の耐久性を向上させる上で有利となる。
【００２３】
なお、実施例では、第１の揺動体と第２の揺動体とを個別に揺動できる構成としたが、例えば、第１の揺動体に第１の仮想軸を中心として第１の揺動体と一体に揺動する第１の歯車を設け、第２の揺動体に第２の仮想軸を中心として第２の揺動体と一体に揺動し前記第１の歯車に噛合する第２の歯車を設け、第１の揺動体と第２の揺動体とを、これら第１の歯車及び第２の歯車を介し第１、第２の仮想軸のまわりで互いに逆向きに強制的に揺動させるようにしてもよい。
また、実施例では、電子機器が撮像装置である場合について説明したが、本発明の電子機器はこれに限定されるものではなく、表示装置を有するものであればよく、種々の電子機器、例えばビデオカメラ、パーソナルデジタルアスタント（ＰＤＡ）、携帯電話機などであってもよいことはもちろんである。
【図面の簡単な説明】
【００２４】
【図１】実施例１の表示装置１００の斜視図である。
【図２】表示装置１００が開かれた状態を示す斜視図である。
【図３】表示装置１００が閉じられた状態を示す斜視図である。
【図４】実施例２の表示装置１００の斜視図である。
【図５】図４の断面図である。
【図６】実施例２の表示装置１００の使用状態を示す説明図である。
【図７】実施例３における撮像装置２００の斜視図である。
【図８】実施例３における撮像装置２００の斜視図である。
【図９】（Ａ）〜（Ｃ）は実施例３における撮像装置２００の使用説明図である。
【符号の説明】
【００２５】
１０……連結体、２０Ａ……第１の揺動体、２０Ｂ……第２の揺動体、２２Ａ……第１の仮想軸、２２Ｂ……第２の仮想軸、３０……表示板、１００……表示装置。
【図１】
2006208424.tif 000003
【図２】
2006208424.tif 000004
【図３】
2006208424.tif 000005
【図４】
2006208424.tif 000006
【図５】
2006208424.tif 000007
【図６】
2006208424.tif 000008
【図７】
2006208424.tif 000009
【図８】
2006208424.tif 000010
【図９】
2006208424.tif 000011